(57)【要約】      （修正有）【課題】ネットバンキングへの登録を効果的に誘導する情報処理システム、情報処理方法、顧客操作型端末およびプログラムを提供する。【解決手段】情報処理システムは、顧客操作型端末を利用する顧客の顧客識別情報を取得する顧客識別情報取得部と、顧客識別情報取得部により取得された顧客識別情報を用いて顧客データベースを参照し、顧客がネットバンキングに登録済であるか否かを判断する判断部と、顧客が前記ネットバンキングに未登録であると判断部により判断されたことに基づき、顧客操作型端末にネットバンキングの登録案内を表示させる表示制御部と、を備える。【選択図】図４
2019070889.tif 000002
【特許請求の範囲】
【請求項１】
顧客操作型端末を利用する顧客の顧客識別情報を取得する顧客識別情報取得部と、
前記顧客識別情報取得部により取得された前記顧客識別情報を用いて顧客データベースを参照し、前記顧客がネットバンキングに登録済であるか否かを判断する判断部と、
前記顧客が前記ネットバンキングに未登録であると前記判断部により判断されたことに基づき、前記顧客操作型端末に前記ネットバンキングの登録案内を表示させる表示制御部と、
を備える、情報処理システム。
【請求項２】
前記表示制御部は、前記顧客が前記ネットバンキングに未登録であると前記判断部により判断され、かつ、前記顧客が前記顧客操作型端末において振込取引を選択したことに基づき、前記顧客操作型端末に前記ネットバンキングの登録案内を表示させる、請求項１に記載の情報処理システム。
【請求項３】
前記登録案内は、前記顧客操作型端末を利用する振込の手数料よりも、前記ネットバンキングを利用する振込の手数料の方が安いことを示す、請求項２に記載の情報処理システム。
【請求項４】
前記登録案内は、前記ネットバンキングへの登録手続に進むための申込ボタンを含む、請求項２または３に記載の情報処理システム。
【請求項５】
前記情報処理システムは、
前記申込ボタンの選択に基づいて前記ネットバンキングへの登録が行われた場合、前記顧客操作型端末を利用する振込の手数料と、前記ネットバンキングを利用する振込の手数料の差額に応じて手数料の還元処理を実行する還元処理部をさらに備える、請求項４に記載の情報処理システム。
【請求項６】
前記還元処理部は、前記差額に相当する現金を前記顧客操作型端末から出金する出金部である、請求項５に記載の情報処理システム。
【請求項７】
前記還元処理部は、前記顧客の口座残高を前記差額分だけ増加させる口座管理部である、請求項５に記載の情報処理システム。
【請求項８】
前記還元処理部は、前記顧客が前記顧客操作型端末を無料で利用可能な回数を前記差額に相当する回数分だけ増加させる口座管理部である、請求項５に記載の情報処理システム。
【請求項９】
前記登録案内は、前記ネットバンキングへの登録により前記差額に応じた還元処理が行われることを示す、請求項５〜８のいずれか一項に記載の情報処理システム。
【請求項１０】
顧客操作型端末を利用する顧客の顧客識別情報を取得することと、
前記顧客識別情報を用いて顧客データベースを参照し、前記顧客がネットバンキングに登録済であるか否かを判断することと、
前記顧客が前記ネットバンキングに未登録であると判断されたことに基づき、前記顧客操作型端末に前記ネットバンキングの登録案内を表示させることと、
を含む、情報処理方法。
【請求項１１】
顧客操作型端末であって、
前記顧客操作型端末を利用する顧客の顧客識別情報を取得する顧客識別情報取得部と、
前記顧客識別情報を用いて前記顧客がネットバンキングに未登録であると判断されたことに基づき、表示部に前記ネットバンキングの登録案内を表示させる表示制御部と、
を備える、顧客操作型端末。
【請求項１２】
コンピュータを、
顧客操作型端末を利用する顧客の顧客識別情報を取得する顧客識別情報取得部と、
前記顧客識別情報を用いて前記顧客がネットバンキングに未登録であると判断されたことに基づき、表示部に前記ネットバンキングの登録案内を表示させる表示制御部と、
として機能させるための、プログラム。
【発明の詳細な説明】
【技術分野】
【０００１】
本発明は、情報処理システム、情報処理方法、顧客操作型端末およびプログラムに関する。
【背景技術】
【０００２】
昨今、金融機関のＡＴＭ（Ａｕｔｏｍａｔｅｄ  ｔｅｌｌｅｒ  ｍａｃｈｉｎｅ）に代表される自動取引装置は、銀行、駅構内およびコンビニエンスストアなど、多様な場所に設置されている。顧客は自動取引装置に表示される表示画面において各種操作を行うことにより、入金、出金、振込および残高照会などの取引を行うことができる。
【０００３】
また、顧客は、ネットバンキングを利用して取引を行うことも可能である。特許文献１には、ネットバンキングへの登録を自動取引装置から申し込むための仕組みが開示されている。
【先行技術文献】
【特許文献】
【０００４】
【特許文献１】特開２００８−７７５８６号公報
【発明の概要】
【発明が解決しようとする課題】
【０００５】
上記のネットバンキングを利用する取引の手数料は、一般的に、金融機関の窓口での取引の手数料、および自動取引装置を利用する取引の手数料よりも安価である。このため、ネットバンキングの利用は、顧客にとって有用である。
【０００６】
そこで、本発明は、上記問題に鑑みてなされたものであり、本発明の目的とするところは、ネットバンキングへの登録を効果的に誘導することが可能な、新規かつ改良された情報処理システム、情報処理方法、顧客操作型端末およびプログラムを提供することにある。
【課題を解決するための手段】
【０００７】
上記課題を解決するために、本発明のある観点によれば、顧客操作型端末を利用する顧客の顧客識別情報を取得する顧客識別情報取得部と、前記顧客識別情報取得部により取得された前記顧客識別情報を用いて顧客データベースを参照し、前記顧客がネットバンキングに登録済であるか否かを判断する判断部と、前記顧客が前記ネットバンキングに未登録であると前記判断部により判断されたことに基づき、前記顧客操作型端末に前記ネットバンキングの登録案内を表示させる表示制御部と、を備える、情報処理システムが提供される。
【０００８】
前記表示制御部は、前記顧客が前記ネットバンキングに未登録であると前記判断部により判断され、かつ、前記顧客が前記顧客操作型端末において振込取引を選択したことに基づき、前記顧客操作型端末に前記ネットバンキングの登録案内を表示させてもよい。
【０００９】
前記登録案内は、前記顧客操作型端末を利用する振込の手数料よりも、前記ネットバンキングを利用する振込の手数料の方が安いことを示してもよい。
【００１０】
前記登録案内は、前記ネットバンキングへの登録手続に進むための申込ボタンを含んでもよい。
【００１１】
前記情報処理システムは、前記申込ボタンの選択に基づいて前記ネットバンキングへの登録が行われた場合、前記顧客操作型端末を利用する振込の手数料と、前記ネットバンキングを利用する振込の手数料の差額に応じて手数料の還元処理を実行する還元処理部をさらに備えてもよい。
【００１２】
前記還元処理部は、前記差額に相当する現金を前記顧客操作型端末から出金する出金部であってもよい。
【００１３】
前記還元処理部は、前記顧客の口座残高を前記差額分だけ増加させる口座管理部であってもよい。
【００１４】
前記還元処理部は、前記顧客が前記顧客操作型端末を無料で利用可能な回数を前記差額に相当する回数分だけ増加させる口座管理部であってもよい。
【００１５】
前記登録案内は、前記ネットバンキングへの登録により前記差額に応じた還元処理が行われることを示してもよい。
【００１６】
また、上記課題を解決するために、本発明の別の観点によれば、顧客操作型端末を利用する顧客の顧客識別情報を取得することと、前記顧客識別情報を用いて顧客データベースを参照し、前記顧客がネットバンキングに登録済であるか否かを判断することと、前記顧客が前記ネットバンキングに未登録であると判断されたことに基づき、前記顧客操作型端末に前記ネットバンキングの登録案内を表示させることと、を含む、情報処理方法が提供される。
【００１７】
また、上記課題を解決するために、本発明の別の観点によれば、顧客操作型端末であって、前記顧客操作型端末を利用する顧客の顧客識別情報を取得する顧客識別情報取得部と、前記顧客識別情報を用いて前記顧客がネットバンキングに未登録であると判断されたことに基づき、表示部に前記ネットバンキングの登録案内を表示させる表示制御部と、を備える、顧客操作型端末が提供される。
【００１８】
また、上記課題を解決するために、本発明の別の観点によれば、コンピュータを、顧客操作型端末を利用する顧客の顧客識別情報を取得する顧客識別情報取得部と、前記顧客識別情報を用いて前記顧客がネットバンキングに未登録であると判断されたことに基づき、表示部に前記ネットバンキングの登録案内を表示させる表示制御部と、として機能させるための、プログラムが提供される。
【発明の効果】
【００１９】
以上説明したように本発明によれば、ネットバンキングへの登録を効果的に誘導することが可能である。
【図面の簡単な説明】
【００２０】
【図１】本発明の実施形態による情報処理システムの構成を示す説明図である。
【図２】本実施形態による自動取引装置の構成を示す説明図である。
【図３】ホストコンピュータ、広告配信サーバおよびＷｅｂサーバの内部構成を示す説明図である。
【図４】本実施形態による情報処理システムの動作を示す説明図である。
【図５】ＩＢ広告画面の具体例を示す説明図である。
【図６】第１の変形例による動作を示す説明図である。
【図７】第１の変形例によるＩＢ広告画面を示す説明図である。
【図８】第２の変形例による動作を示す説明図である。
【発明を実施するための形態】
【００２１】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２２】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、複数の構成要素の各々に同一符号のみを付する。
【００２３】
＜情報処理システムの構成＞
本発明の実施形態は、顧客操作型端末の一例である自動取引装置を用いる情報処理システムに関する。以下、図１を参照し、本発明の実施形態による情報処理システムの構成を説明する。
【００２４】
図１は、本発明の実施形態による情報処理システムの構成を示す説明図である。図１に示したように、本発明の実施形態による情報処理システムは、自動取引装置２０、ホストコンピュータ３０、広告配信サーバ４０およびＷｅｂサーバ５０を有する。情報処理システムにおいて、自動取引装置２０は、ホストコンピュータ３０、広告配信サーバ４０およびＷｅｂサーバ５０と接続されている。また、ホストコンピュータ３０と広告配信サーバ４０が接続されており、広告配信サーバ４０とＷｅｂサーバ５０が接続されている。各要素間の接続は、有線接続を含んでもよいし、無線接続を含んでもよい。また、自動取引装置２０とホストコンピュータ３０とは、制御用ケーブルおよび画像表示用ケーブルを介して接続されてもよい。
【００２５】
（自動取引装置）
自動取引装置２０は、金融機関の顧客による操作に基づいて多様な取引を実行する顧客操作型端末である。この自動取引装置２０は、金融機関の営業店、コンビニエンスストア、駅構内、ホテル、病院、アミューズメントパーク、飲食店、オフィスビルディングなどの多様な施設に設置される。
【００２６】
また、自動取引装置２０は、図１に示したように、表示入力部２２、通帳挿入口２４、カード挿入排出口２６、明細排出口２７および接客口２８を備える。
【００２７】
表示入力部２２は、顧客による操作の誘導画面を表示する表示部および顧客が操作入力を行うための入力部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、入力部としての機能は例えばタッチパネルにより実現される。なお、図１においては表示部および入力部の機能が自動取引装置２０において一体的に構成される例を示しているが、表示部および入力部の機能は分離して構成されてもよい。
【００２８】
通帳挿入口２４は顧客の通帳を挿入および排出するための開口部である。カード挿入排出口２６は、顧客の磁気カード（キャッシュカード）を挿入および排出するための開口部である。また、明細排出口２７は、取引情報が印字された明細票（レシート）を排出するための開口部である。接客口２８は、顧客による現金の入金口、および顧客への現金の出金口としての機能を有する。なお、現金は、紙幣であってもよいし、硬貨であってもよい。
【００２９】
（ホストコンピュータ）
ホストコンピュータ３０は、自動取引装置２０と通信することにより、各種取引を制御する。例えば、ホストコンピュータ３０は、自動取引装置２０を操作する顧客の認証を行ったり、ホストコンピュータ３０において顧客により指示された入金や振込などの金銭取引（勘定の取引処理）を実行したりする。また、ホストコンピュータ３０は、口座番号、暗証番号、氏名、住所、年齢、生年月日、電話番号、職業、家族構成、年収、預金残高などの口座情報（口座の元帳）を管理する。
【００３０】
（広告配信サーバ）
広告配信サーバ４０は、自動取引装置２０に広告画面を配信する。広告配信サーバ４０は、顧客への郵送物が顧客に届いたか否か、顧客はインターネットバンキング（ＩＢ）に登録済みであるか否か、などを示す顧客データベースを有する。広告配信サーバ４０は、顧客データベースを参照し、自動取引装置２０を利用している顧客に応じた広告画面を選択し、選択した広告画面を自動取引装置２０に配信する。特に、詳細については後述するように、広告配信サーバ４０は、自動取引装置２０を利用している顧客がインターネットバンキングに未登録であることに基づき、インターネットバンキングへの登録を案内する広告画面（登録案内）を自動取引装置２０に配信する。
【００３１】
（Ｗｅｂサーバ）
Ｗｅｂサーバ５０は、自動取引装置２０を用いたインターネットバンキングへの登録操作を支援するサーバである。具体的には、Ｗｅｂサーバ５０は、インターネットバンキングへの申込画面を自動取引装置２０に送信し、当該申込画面において自動取引装置２０への操作により入力された申込情報を受信し、当該申込情報に従って顧客をインターネットバンキングに登録する。
【００３２】
＜自動取引装置の構成＞
以上、本実施形態による情報処理システムの構成を説明した。続いて、情報処理システムに含まれる自動取引装置２０、ホストコンピュータ３０、広告配信サーバ４０およびＷｅｂサーバ５０の内部構成を順次詳細に説明する。
【００３３】
図２は、本実施形態による自動取引装置２０の構成を示す説明図である。図２に示したように、本発明の実施形態による自動取引装置２０は、表示入力部２２と、通信部２１０と、カード読取部２２０と、紙幣入出金部２３０と、硬貨入出金部２４０と、通帳記帳部２５０と、明細印字部２６０と、記憶部２７０と、制御部２８０と、を備える。
【００３４】
（表示入力部）
表示入力部２２は、図１を参照して説明したように、顧客による操作の誘導画面を表示する表示部および顧客が操作入力を行うための入力部としての機能を包含する。例えば、表示入力部２２はテンキーを表示し、当該テンキーへの操作により暗証番号が入力される。ただし、テンキーのような数字入力部は表示入力部２２と別個に設けられてもよい。
【００３５】
（通信部）
通信部２１０は、ホストコンピュータ３０、広告配信サーバ４０およびＷｅｂサーバ５０と多様な情報を送受信する。例えば、通信部２１０は、顧客のキャッシュカードなどから読み取られた口座番号を示す情報をホストコンピュータ３０に送信し、当該口座番号に対応する顧客の情報をホストコンピュータ３０から受信する。また、通信部２１０は、取引を実行するための情報（取引種別、取引金額など）をホストコンピュータ３０と通信する。また、本実施形態による通信部２１０は、広告配信サーバ４０から広告画面を受信し、Ｗｅｂサーバ５０からインターネットバンキングの申込画面を受信する。
【００３６】
（カード読取部）
カード読取部２２０は、カード挿入排出口２６から挿入された顧客のキャッシュカードに記録された磁気情報を読み取る。磁気情報は、例えば、口座番号および口座種別などを示す情報を含んでもよい。すなわち、カード読取部２２０は、顧客の顧客識別情報を取得する顧客識別情報取得部の一例である。
【００３７】
（紙幣入出金部）
紙幣入出金部２３０は、紙幣の搬送路、紙幣カセットおよび紙幣の正当性を鑑別する紙幣鑑別部などを有する。入金時に接客口２８に投入された紙幣は、搬送路を介して紙幣鑑別部へ搬送され、紙幣鑑別部により正常な鑑別結果が得られた場合、金種に応じた紙幣カセットに搬送される。また、出金時には、紙幣カセットから紙幣が分離され、紙幣鑑別部が分離された紙幣を鑑別し、正常な鑑別結果が得られた場合に接客口２８に紙幣が搬送される。
【００３８】
（硬貨入出金部）
硬貨入出金部２４０は、硬貨の搬送路、硬貨カセットおよび硬貨の正当性を鑑別する硬貨鑑別部などを有する。入金時に接客口２８に投入された硬貨は、搬送路を介して硬貨鑑別部へ搬送され、硬貨鑑別部により正常な鑑別結果が得られた場合、金種に応じた硬貨カセットに搬送される。また、出金時には、硬貨カセットから硬貨が繰り出され、硬貨鑑別部が硬貨カセットから繰り出された硬貨を鑑別し、正常な鑑別結果が得られた場合に接客口２８に硬貨が搬送される。なお、上記では、硬貨と紙幣が同一の接客口２８を介して入出金される例を説明したが、本実施形態はかかる例に限定されず、硬貨と紙幣は異なる接客口を介して入出金されてもよい。
【００３９】
（通帳記帳部）
通帳記帳部２５０は、磁気ヘッド、ページ送り部および印字部などを含み、通帳挿入口２４から挿入された通帳に記帳を行う。例えば、通帳挿入口２４から通帳が挿入されると、通帳のカバー紙に形成された磁気ストライプから磁気ヘッドが磁気情報を読み出す。また、ページ送り部が通帳の記入ページを開き、印字部が通帳の記入ページに取引情報を印字する。
【００４０】
（明細印字部）
明細印字部２６０は、紙ロール、サーマルヘッドおよびカッタなどを含み、取引の明細情報が印字された明細票を作成する。例えば、顧客の指定した取引が実行されると、紙トロールから分離された連続紙にサーマルヘッドが取引の明細情報を印字し、明細情報が印字された領域をカッタが連続紙から切り離すことにより、明細票が作成される。
【００４１】
（記憶部）
記憶部２７０は、自動取引装置２０の動作のために用いられる各種情報を記憶する記憶媒体である。例えば、記憶部２７０は、制御部２８０が表示入力部２２、通信部２１０、カード読取部２２０、紙幣入出金部２３０、硬貨入出金部２４０、通帳記帳部２５０、および明細印字部２６０などを制御するためのプログラムを記憶する。
【００４２】
（制御部）
制御部２８０は、自動取引装置２０の動作全般を制御する。例えば、制御部２８０は、通信部２１０、カード読取部２２０、紙幣入出金部２３０、硬貨入出金部２４０、通帳記帳部２５０、および明細印字部２６０の各々の動作を制御する。特に、本実施形態による制御部２８０は、顧客により振込取引が選択された場合に、当該顧客がインターネットバンキングへ登録済みであるか否かの確認を依頼するＩＢ登録状況確認依頼を通信部３１０に広告配信サーバ４０へ送信させる。また、制御部２８０は、広告配信サーバ４０およびＷｅｂサーバ５０から受信された画面を表示入力部２２に表示させる表示制御部の機能を包含する。
【００４３】
＜ホストコンピュータ、広告配信サーバおよびＷｅｂサーバの構成＞
図３は、ホストコンピュータ３０、広告配信サーバ４０およびＷｅｂサーバ５０の内部構成を示す説明図である。
【００４４】
（ホストコンピュータ）
図３に示したように、ホストコンピュータ３０は、通信部３１０、口座情報記憶部３２０および制御部３３０を有する。通信部３１０は、自動取引装置２０と通信する。例えば、通信部３１０は、自動取引装置２０から顧客の操作情報（選択された取引および取引金額など）を受信し、自動取引装置２０における次の表示のための表示画面を自動取引装置２０に送信する。
【００４５】
口座情報記憶部３２０は、顧客の口座情報を記憶する。例えば、口座情報記憶部３２０は、口座番号、暗証番号、氏名、住所、年齢、生年月日、電話番号、職業、家族構成、年収、預金残高などの口座情報を記憶する。
【００４６】
制御部３３０は、ホストコンピュータ３０の動作全般を制御する。例えば、制御部３３０は、自動取引装置２０から通信部３１０により受信された口座番号および暗証番号に基づき、口座情報記憶部３２０を参照して顧客の認証処理を実行する。また、制御部３３０は、自動取引装置２０における次の表示のための表示画面を通信部３１０に送信させる。
【００４７】
（広告配信サーバ）
広告配信サーバ４０は、図３に示したように、通信部４１０、記憶部４２０および制御部４３０を有する。通信部４１０は、自動取引装置２０およびＷｅｂサーバ５０と通信する。例えば、通信部４１０は、ＩＢ登録状況確認依頼を自動取引装置２０から受信する。また、通信部４１０は、自動取引装置２０にインターネットバンキングへの登録を案内する広告画面（ＩＢ広告画面）を配信する。また、通信部４１０は、インターネットバンキングへの顧客の登録が終了したことに基づき、Ｗｅｂサーバ５０から顧客データベース更新依頼を受信する。
【００４８】
記憶部４２０は、広告データベースおよび顧客データベースを格納する。広告データベースは、自動取引装置２０における表示のための広告画面を含む。顧客データベースは、各顧客がインターネットバンキングに登録済みであるか否かを示す情報を含む。
【００４９】
制御部４３０は、広告配信サーバ４０の動作全般を制御する。例えば、制御部４３０は、顧客データベースを参照して、通信部４１０により受信されたＩＢ登録状況確認依頼に含まれる口座番号を有する顧客がインターネットバンキングへ登録済みであるか否かを判断する判断部の機能を有する。なお、ＩＢ登録状況確認依頼は、顧客により振込取引が選択された場合に自動取引装置２０から送信される。
【００５０】
また、制御部４３０は、当該顧客がインターネットバンキングへ未登録であると判断されたことに基づきＩＢ広告画面を自動取引装置２０に表示させる（通信部４１０にＩＢ広告画面を送信させる）表示制御部としての機能を有する。また、制御部４３０は、Ｗｅｂサーバ５０から受信される顧客データベース更新依頼に基づき、顧客データベースを更新する。
【００５１】
（Ｗｅｂサーバ）
Ｗｅｂサーバ５０は、図３に示したように、通信部５１０、登録情報記憶部５２０および制御部５３０を有する。通信部５１０は、自動取引装置２０および広告配信サーバ４０と通信する。例えば、通信部５１０は、自動取引装置２０からインターネットバンキングの申込画面の要求を受信し、インターネットバンキングの申込画面（ＩＢ申込画面）を自動取引装置２０に送信する。また、通信部５１０は、広告配信サーバ４０に顧客データベース更新依頼を送信する。
【００５２】
登録情報記憶部５２０は、ＩＢ申込画面において顧客により入力された申込情報を含む登録情報を記憶する。登録情報は、口座番号、キャッシュカードの暗証番号、氏名および生年月日を含み得る。
【００５３】
制御部５３０は、Ｗｅｂサーバ５０の動作全般を制御する。例えば、制御部５３０は、自動取引装置２０から受信されたＩＢ申込画面の要求に応じて、ＩＢ申込画面が自動取引装置２０に送信されるように通信部５１０を制御する。また、制御部５３０は、インターネットバンキングへの顧客の登録が終了すると、当該顧客の情報を「インターネットバンキングへ登録済み」に更新することを依頼する顧客データベース更新依頼の広告配信サーバ４０への送信を制御する。
【００５４】
＜情報処理システムの動作＞
以上、本実施形態による情報処理システムの構成を説明した。続いて、図４を参照して、本実施形態による情報処理システムの動作を説明する。
【００５５】
図４は、本実施形態による情報処理システムの動作を示す説明図である。図４に示したように、顧客が自動取引装置２０のカード挿入排出口２６にキャッシュカードを挿入し、表示入力部２２に暗証番号を入力し、振込取引をメニュー画面から選択することにより、自動取引装置２０とホストコンピュータ３０とが振込取引を開始する（Ｓ１）。振込取引において、顧客は、表示入力部２２を操作することにより、振込先および振込金額などの振込情報を入力する。
【００５６】
また、自動取引装置２０の通信部２１０は、振込取引が選択されたことに基づき、ＩＢ登録状況確認依頼を広告配信サーバ４０に送信する（Ｓ２）。広告配信サーバ４０の制御部４３０は、顧客データベースを参照して、ＩＢ登録状況確認依頼に含まれる口座番号を有する顧客がインターネットバンキングへ登録済みであるか否かを判断する（Ｓ３）。ＩＢ登録状況確認依頼に含まれる口座番号を有する顧客がインターネットバンキングへ登録済みであると判断されると、図４に示したように、広告配信サーバ４０の通信部４１０がＩＢ広告画面を自動取引装置２０に配信する（Ｓ４）。
【００５７】
続いて、自動取引装置２０の表示入力部２２は、広告配信サーバ４０から配信されたＩＢ広告画面を表示する（Ｓ５）。例えば、表示入力部２２は、当該ＩＢ広告画面を処理待ち時間中に表示する。処理待ち時間は、例えば、顧客が振込取引のための情報（振込先、金額等）の入力、確認を終えて自動取引装置２０からホストコンピュータ３０に振込依頼が送信され、ホストコンピュータ３０からの振込完了の通知（振込取引終了通知）を待っている状態の時間である。ここで、図５を参照し、ＩＢ広告画面の具体例を説明する。
【００５８】
図５は、ＩＢ広告画面の具体例を示す説明図である。図５に示したように、ＩＢ広告画面は、誘導メッセージ６２、手数料比較表６４、申込不要ボタン６５、保留ボタン６６、および申込ボタン６７を含む。申込不要ボタン６５、保留ボタン６６が、申込ボタン６７のいずれかが選択されると、ＩＢ広告画面の表示が終了する。
【００５９】
誘導メッセージ６２は、インターネットバンキングの利用が顧客にとって得であることを示すメッセージである。誘導メッセージ６２は、例えば図５に示したように、「インターネットバンキングで振込を行うとＡＴＭでの振込よりも手数料が安くなります。」というメッセージであってもよい。
【００６０】
手数料比較表６４は、自動取引装置２０を利用する振込の手数料と、インターネットバンキングを利用する振込の手数料を対比的に示す表である。顧客は、当該手数料比較表６４からも、インターネットバンキングの利用が得であることを理解できる。
【００６１】
申込不要ボタン６５および保留ボタン６６は、インターネットバンキングへの登録が不要である場合に選択されるボタンである。申込不要ボタン６５が顧客により選択された場合、自動取引装置２０は、当該顧客による次回以降の振込取引においてＩＢ広告画面を表示しない。保留ボタン６６が顧客により選択された場合、自動取引装置２０は、当該顧客による次回の振込取引においてもＩＢ広告画面を表示する。
【００６２】
従って、ＩＢ広告画面の表示を煩雑に感じる顧客は申込不要ボタン６５を選択することにより、ＩＢ広告画面が繰り返し表示されることによるストレスを回避することが可能である。一方、インターネットバンキングへの登録意思はあるが、今は時間が無いなどの理由で今回の振込取引に続けてインターネットバンキングへの登録を申込むことが困難な顧客も存在し得る。そのような顧客は、保留ボタン６６を選択することにより、次回の振込取引で表示されるＩＢ広告画面において申込ボタン６７を選択することにより、円滑にインターネットバンキングへの登録手続きに進むことが可能である。
【００６３】
申込ボタン６７は、インターネットバンキングへの登録手続に進むために選択されるボタンである。図４においては、Ｓ６以降に、ＩＢ広告画面において当該申込ボタン６７が選択された場合の処理が示されている。
【００６４】
具体的には、ホストコンピュータ３０から振込取引終了通知が受信されると（Ｓ６）、自動取引装置２０のカード挿入排出口２６が顧客のキャッシュカードを返却し、明細排出口２７が振込取引の明細票を排出する（Ｓ７）。その後、Ｓ５において申込ボタン６７が選択されていたことに基づき、インターネットバンキングへの申込みのためにキャッシュカードの挿入を誘導する画面を自動取引装置２０が表示する。そして、顧客が自動取引装置２０のカード挿入排出口２６にキャッシュカードを挿入し、表示入力部２２に暗証番号を入力する。暗証番号を含む顧客情報はホストコンピュータ３０に送信され（Ｓ８）、ホストコンピュータ３０から認証結果として本人確認結果通知が受信される（Ｓ９）。当該本人確認は、インターネットバンキングへの郵送による申込みで必要な本人確認証に基づく本人確認に代わる処理である。
【００６５】
ここで、本人確認が成功すると、自動取引装置２０はＩＢ申込画面をＷｅｂサーバ５０に要求し（Ｓ１０）、Ｗｅｂサーバ５０は自動取引装置２０にＩＢ申込画面を送信する（Ｓ１１）。自動取引装置２０の表示入力部２２は、Ｗｅｂサーバ５０から送信されたＩＢ申込画面を表示し、顧客がインターネットバンキング申込情報（ＩＢ申込情報）を入力する（Ｓ１２）。そして、自動取引装置２０の通信部２１０は、顧客により入力されたＩＢ申込情報をＷｅｂサーバ５０に送信する（Ｓ１３）。
【００６６】
Ｗｅｂサーバ５０の制御部５３０は、自動取引装置２０から受信されたＩＢ申込情報を含む登録情報を登録情報記憶部５２０に格納する（Ｓ１４）。そして、Ｗｅｂサーバ５０は、顧客データベース更新依頼を広告配信サーバ４０に送信する（Ｓ１５）。ここで、顧客データベース更新依頼はインターネットバンキングへの申込を行った顧客の識別情報を含む。広告配信サーバ４０は、当該顧客の情報が「インターネットバンキングへ登録済み」となるように顧客データベースを更新し、更新の終了通知をＷｅｂサーバ５０に送信する（Ｓ１６）。
【００６７】
その後、Ｗｅｂサーバ５０は自動取引装置２０にインターネットバンキングへの申込が終了した旨を示すＩＢ申込終了通知を送信し（Ｓ１７）、自動取引装置２０のカード挿入排出口２６が顧客のキャッシュカードを返却し、明細排出口２７がインターネットバンキングへの申込の明細票を排出する（Ｓ１８）。
【００６８】
＜作用効果＞
以上説明したように、本発明の実施形態によれば、インターネットバンキングへ未登録であり、かつ、振込取引を選択した顧客にＩＢ広告画面が表示される。インターネットバンキングの利用は、手数料の観点から振込取引において特に有用である。このため、上記のような顧客にＩＢ広告画面を表示することによりインターネットバンキングへの登録を効果的に誘導し、インターネットバンキングの登録者数を増加させることが可能である。また、顧客満足度の向上、顧客との関係良化の効果も期待される。
【００６９】
＜変形例＞
以上、本発明の実施形態を説明した。以下では、本発明の実施形態の幾つかの変形例を説明する。なお、以下に説明する各変形例は、単独で本発明の実施形態に適用されてもよいし、組み合わせで本発明の実施形態に適用されてもよい。また、各変形例は、本発明の実施形態で説明した構成に代えて適用されてもよいし、本発明の実施形態で説明した構成に対して追加的に適用されてもよい。
【００７０】
（第１の変形例）
第１の変形例は、インターネットバンキングへの登録が行われた場合に、自動取引装置２０を利用する振込の手数料と、インターネットバンキングを利用する振込の手数料の差額に応じて手数料の還元処理が実行される変形例である。以下、図６および図７を参照し、第１の変形例を説明する。
【００７１】
図６は、第１の変形例による動作を示す説明図である。図６に示したＳ１〜Ｓ１８の処理には、図４を参照して説明したＳ１〜Ｓ１８の処理を適用し得るので、ここでの詳細な説明を省略する。
【００７２】
図６に示したように、自動取引装置２０のカード挿入排出口２６が顧客のキャッシュカードを返却し、明細排出口２７がインターネットバンキングへの申込の明細票を排出した後（Ｓ１８）、自動取引装置２０の通信部２１０がＩＢ申込完了通知をホストコンピュータ３０に送信する（Ｓ１９）。
【００７３】
ホストコンピュータ３０は、ＩＢ申込完了通知の受信に応じて、顧客の口座に、インターネットバンキングの登録に先立って自動取引装置２０を利用して行われた振込の手数料と、当該振込がインターネットバンキングを利用して行われていた場合の手数料との差額を入金する（Ｓ２０）。例えば、ＩＢ申込完了通知はインターネットバンキングへの登録に先立って行われた振込の処理通番を含み、ホストコンピュータ３０の制御部３３０は、当該処理通番に対応する振込の手数料を特定し、特定した手数料に基づいて上記差額を算出してもよい。この場合、ホストコンピュータ３０の制御部３３０が、手数料の還元処理を行う口座管理部に対応する。
【００７４】
上述したように手数料の差額が還元される場合、Ｓ５で表示されるＩＢ広告画面は、図７に示すように、インターネットバンキングへの登録により手数料の差額に応じた還元処理が行われることを示すことが望ましい。
【００７５】
図７は、第１の変形例によるＩＢ広告画面を示す説明図である。図７に示したように、第１の変形例によるＩＢ広告画面は、ＩＢ広告画面は、誘導メッセージ６２、手数料比較表６４、申込不要ボタン６５、保留ボタン６６、および申込ボタン６７に加え、還元通知メッセージ６８を含む。
【００７６】
還元通知メッセージ６８は、例えば図７に示したように、「続けて申し込むと、差額分をキャッシュバックします。」というメッセージであってもよい。メッセージには、キャッシュバックの対象となるのは、今回の取引の手数料が対象である旨を付してもよい。また、還元通知メッセージ６８は、例えば「１０８円」のように、還元される金額を明示してもよい。顧客は、当該還元通知メッセージ６８に基づき、インターネットバンキングへの申込みにより今回の振込においても手数料のメリットが得られることを理解できる。従って、インターネットバンキングに申し込む意欲が一層喚起され、インターネットバンキングの登録者数が増加することが期待される。
【００７７】
なお、ホストコンピュータ３０の制御部３３０は、手数料の差額を顧客の口座に入金する処理に代えて、他の処理により手数料の還元を実現してもよい。例えば、ホストコンピュータ３０の制御部３３０は、手数料の差額が自動取引装置２０の何回分の利用料に相当するかを算出し、算出された回数分、顧客が自動取引装置２０を無料で利用可能な回数を増加させる口座管理部の機能を有してもよい。
【００７８】
（第２の変形例）
続いて、第２の変形例を説明する。第２の変形例は、第１の変形例と同様に、手数料の還元処理に関する変形例である。第２の変形例では、自動取引装置２０が手数料の差額に相当する現金を出金することにより、還元処理が実現される。以下、図８を参照して、第２の変形例を説明する。
【００７９】
図８は、第２の変形例による動作を示す説明図である。図８に示したＳ１〜Ｓ１８の処理には、図４を参照して説明したＳ１〜Ｓ１８の処理を適用し得るので、ここでの詳細な説明を省略する。
【００８０】
図８に示したように、自動取引装置２０のカード挿入排出口２６が顧客のキャッシュカードを返却し、明細排出口２７がインターネットバンキングへの申込の明細票を排出した後（Ｓ１８）、自動取引装置２０の通信部２１０がＩＢ申込完了通知をホストコンピュータ３０に送信する（Ｓ１９）。
【００８１】
ホストコンピュータ３０は、ＩＢ申込完了通知の受信に応じて、インターネットバンキングの登録に先立って自動取引装置２０を利用して行われた振込の手数料と、当該振込がインターネットバンキングを利用して行われていた場合の手数料との差額を算出する。そして、ホストコンピュータ３０は、算出した差額の出金を指示する差額出金指示を自動取引装置２０に送信する（Ｓ２１）。
【００８２】
自動取引装置２０の硬貨入出金部２４０は、差額出金指示に基づき、手数料の差額に沿うとする現金を出金する（Ｓ２２）。この場合、自動取引装置２０の硬貨入出金部２４０が、手数料の還元処理を行う還元処理部に対応する。
【００８３】
上述した第２の変形例によっても、振込に続けてインターネットバンキングへの申込みを行った顧客に手数料の差額を還元することが可能である。
【００８４】
（第３の変形例）
上記では、振込が終了した後に顧客にキャッシュカードが返却され、顧客がインターネットバンキングへの申込みのために再度キャッシュカードを自動取引装置２０に挿入する例を説明した。しかし、振込およびインターネットバンキングの双方が終了するまでキャッシュカードは顧客に返却されないように自動取引装置２０を設計することも可能である。かかる構成によれば、顧客の操作負荷を軽減することが可能である。
【００８５】
（第４の変形例）
上記では、ＩＢ広告画面が例えば図５に示したように申込不要ボタン６５、保留ボタン６６、および申込ボタン６７などの選択ボタンを含む例を説明した。すなわち、上記では、ＩＢ広告画面がＩＢ広告機能およびＩＢ申込受付機能の双方を有する例を説明した。しかし、ＩＢ広告画面は、ＩＢ広告機能を有し、ＩＢ申込受付機能を有さなくてもよい。すなわち、ＩＢ広告画面は申込不要ボタン６５、保留ボタン６６、および申込ボタン６７などの選択ボタンを含まなくてもよい。ＩＢ広告機能によりインターネットバンキングへの登録の意欲が喚起され得て、インターネットバンキングへの登録の意欲が喚起された顧客は別途インターネットバンキングへの申込みをし得る。このため、ＩＢ広告画面がＩＢ申込受付機能を有さなくても、インターネットバンキングの登録者数を増加させることが可能である。
【００８６】
＜補足＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８７】
例えば、本明細書の自動取引装置２０、ホストコンピュータ３０、広告配信サーバ４０およびＷｅｂサーバ５０の処理における各ステップは、必ずしもシーケンス図として記載された順序に沿って時系列に処理する必要はない。例えば、自動取引装置２０、ホストコンピュータ３０、広告配信サーバ４０およびＷｅｂサーバ５０の処理における各ステップは、シーケンス図として記載した順序と異なる順序で処理されても、並列的に処理されてもよい。
【００８８】
また、自動取引装置２０、ホストコンピュータ３０、広告配信サーバ４０およびＷｅｂサーバ５０に内蔵されるＣＰＵ、ＲＯＭおよびＲＡＭなどのハードウェアに、上述した自動取引装置２０、ホストコンピュータ３０、広告配信サーバ４０およびＷｅｂサーバ５０の各構成と同等の機能を発揮させるためのコンピュータプログラムも作成可能である。また、該コンピュータプログラムを記憶させた記憶媒体も提供される。
【符号の説明】
【００８９】
２０  自動取引装置
２２  表示入力部
２４  通帳挿入口
２６  カード挿入排出口
２７  明細排出口
２８  接客口
２１０  通信部
２２０  カード読取部
２３０  紙幣入出金部
２４０  硬貨入出金部
２５０  通帳記帳部
２６０  明細印字部
２７０  記憶部
２８０  制御部
３０  ホストコンピュータ
３１０  通信部
３２０  口座情報記憶部
３３０  制御部
４０  広告配信サーバ
４１０  通信部
４２０  記憶部
４３０  制御部
５０  サーバ
５１０  通信部
５２０  登録情報記憶部
５３０  制御部
【図１】
2019070889.tif 000003
【図２】
2019070889.tif 000004
【図３】
2019070889.tif 000005
【図４】
2019070889.tif 000006
【図５】
2019070889.tif 000007
【図６】
2019070889.tif 000008
【図７】
2019070889.tif 000009
【図８】
2019070889.tif 000010